(57)【要約】【課題】異種網を接続してテレビ電話通信を実現する中継装置において、リアルタイムでメディアデータをモニタする。【解決手段】メディアモニタ装置１は、呼処理信号のプロトコル変換時にメディアの多重化テーブル情報と映像のＣｏｎｆｉｇ情報を確定する。モニタ端末２からモニタ対象とモニタチャネルとが通知されると、メディアモニタ装置１は、指定されたチャネルが通信中であることを確認する。そして、指定されたチャネルの多重化テーブル情報とＣｏｎｆｉｇ情報とをモニタ端末２に送信し、かつ、通信中のメディアデータをコピーしてモニタ端末２に送信する。モニタ端末２は、受信した多重化テーブル情報を用いて音声データと映像データとを分離し、Ｃｏｎｆｉｇ情報を用いて映像データを復号する。そして、モニタ端末２は、音声データと映像データとにもとづく音声と映像とを出力する。【選択図】図２
2007306317.tif 000002
【特許請求の範囲】
【請求項１】
第１通信ネットワークと第２通信ネットワークとを接続して、音声データと映像データとを含むメディアデータの通信を実現する中継装置で用いられるメディアモニタシステムであって、
前記第１通信ネットワークから前記第２通信ネットワークに向かうメディアデータおよび前記第２通信ネットワークから前記第１通信ネットワークに向かうメディアデータを受信可能なメディアモニタ装置と、モニタ端末とを備え、
前記メディアモニタ装置は、前記モニタ端末からの指示信号に応じて、前記第１通信ネットワークから前記第２通信ネットワークに向かうメディアデータまたは前記第２通信ネットワークから前記第１通信ネットワークに向かうメディアデータと、呼接続制御時に確定したメディアデータ復号情報とを前記モニタ端末に送信するモニタ処理部を含み、
前記モニタ端末は、
前記指示信号を前記モニタ処理部に送信し、
前記モニタ処理部から受信したメディアデータから音声データもしくは映像データ、または音声データと映像データとを取り出して、取り出したデータにもとづく音声もしくは映像、または音声および映像を出力するモニタ処理を行い、
映像を出力するときに、モニタ処理部から受信したメディアデータ復号情報を用いて映像データを復号する
ことを特徴とするメディアモニタシステム。
【請求項２】
モニタ端末は、リアルタイムでモニタ処理を実行する
請求項１記載のメディアモニタシステム。
【請求項３】
メディアモニタ装置は、
第１通信ネットワークに接続された端末装置と第２通信ネットワークに接続された端末装置とに、一定の周期または間欠的に、イントラフレームの送信要求を送信する呼処理部を含む
請求項１または請求項２記載のメディアモニタシステム。
【請求項４】
モニタ端末は、メディアモニタ装置に指示信号を送信した後、前記メディアモニタ装置のモニタ処理部からメディアデータ復号情報を受信し、前記メディアデータ復号情報を元に前記モニタ処理部からメディアデータを受信したときに、モニタ処理を開始する
請求項３記載のメディアモニタシステム。
【請求項５】
モニタ処理部は、第１通信ネットワークと第２通信ネットワークとを介するテレビ電話通信のメディアデータを受信する
請求項１から請求項４のうちのいずれか１項に記載のメディアモニタシステム。
【請求項６】
モニタ端末は、テレビ電話通信が行われているか否か問い合わせるためにモニタ処理部に通信状況確認指示信号を送信し、
前記モニタ処理部は、通信状況確認指示信号を受信すると、テレビ電話通信が行われているチャネルを示す情報を前記モニタ端末に送信し、
前記モニタ端末は、テレビ電話通信が行われているチャネルをモニタ処理の対象にすることを示す指示信号を前記モニタ処理部に送信する
請求項５記載のメディアモニタシステム。
【請求項７】
第１通信ネットワークと第２通信ネットワークとを接続して、テレビ電話通信を実現する中継装置で用いられるメディアモニタシステムであって、
前記第１通信ネットワークから前記第２通信ネットワークに向かうメディアデータおよび前記第２通信ネットワークから前記第１通信ネットワークに向かうメディアデータを受信可能なメディアモニタ装置と、モニタ端末とを備え、
前記メディアモニタ装置は、
呼接続制御時にメディアデータ復号情報を確定し、第１通信ネットワークに接続された端末装置と第２通信ネットワークに接続された端末装置とに、一定の周期または間欠的に、イントラフレームの送信要求を送信する呼処理部と、
前記データ復号情報を保持する情報記憶部と、
前記モニタ端末からの指示信号に応じて、前記第１通信ネットワークから前記第２通信ネットワークに向かうメディアデータまたは前記第２通信ネットワークから前記第１通信ネットワークに向かうメディアデータと、前記情報記憶部に保持されているメディアデータ復号情報とを前記モニタ端末に送信するモニタ処理部とを含み、
前記モニタ端末は、
前記指示信号を前記モニタ処理部に送信し、
前記モニタ処理部から受信したメディアデータから音声データもしくは映像データ、または音声データと映像データとを取り出して、取り出したデータにもとづく音声もしくは映像、または音声および映像を出力するモニタ処理を行い、
映像を出力するときに、モニタ処理部から受信したメディアデータ復号情報を用いて映像データを復号する
ことを特徴とするメディアモニタシステム。
【請求項８】
第１通信ネットワークと第２通信ネットワークとを接続して、テレビ電話通信を実現する中継装置で用いられるメディアモニタ方法であって、
呼接続制御時にメディアデータ復号情報を確定し、
前記第１通信ネットワークから前記第２通信ネットワークに向かうメディアデータまたは前記第２通信ネットワークから前記第１通信ネットワークに向かうメディアデータを取り込み、
取り込んだメディアデータから音声データもしくは映像データ、または音声データと映像データとを取り出して、取り出したデータにもとづく音声もしくは映像、または音声および映像を出力するモニタ処理を行い、
前記モニタ処理で映像を出力するときに、メディアデータ復号情報を用いて映像データを復号する
ことを特徴とするメディアモニタ方法。
【発明の詳細な説明】
【技術分野】
【０００１】
本発明は、異種網を接続してテレビ電話通信などの通信を実現する中継装置において、通信中のメディアデータをモニタするメディアモニタシステムおよびメディアモニタ方法に関する。
【背景技術】
【０００２】
公衆交換電話網（以下、ＰＳＴＮ網）とＩＰ網とを接続して、ＰＳＴＮ網に接続されている端末とＩＰ網に接続されている端末との間の音声通信を可能にする中継装置がある。そして、中継装置において、通信中の音声をモニタする音声モニタ装置が実現されている（例えば、特許文献１参照。）。
【０００３】
また、音声および映像によるテレビ電話通信（以下、ＴＶ電話通信）ができる第三世代移動通信（以下、３Ｇ−３２４Ｍ）端末と、Session Initiation Protocol （以下、ＳＩＰ）端末との間でＴＶ電話通信を可能にする中継装置が実現されている。中継装置は、３Ｇ−３２４Ｍ端末が接続される網（以下、３Ｇ網）とＳＩＰ端末が接続される網（例えば、ＩＰ網など）とを接続する（例えば、特許文献２参照。）。
【０００４】
【特許文献１】特開２００５−３４８１６３号公報（段落００２１−００２４、図４）
【特許文献２】特開２００４−２２２００９号公報（段落００２６−００２９、図１）
【発明の開示】
【発明が解決しようとする課題】
【０００５】
通信中の音声をモニタすることによってメディア品質をモニタすることは比較的容易であるが、通信中の音声または映像をモニタすることによってＴＶ電話通信のメディア品質をモニタすることは難しい。音声データと映像データとが多重化された多重化データが送受信されている場合、多重化の情報が分からないと音声データと映像データとを分離することができず、音声または映像をモニタすることができないからである。また、多重化データを音声データと映像データとに分離できたとしても、映像データの復号に必要なパラメータ情報であるＣｏｎｆｉｇ情報がわからないと映像データを復号することができない。なお、本明細書では、メディアを、音声データや映像データなどのメディアデータと同義で用いる。よって、メディア品質とは、メディアデータの品質を意味する。
【０００６】
そこで、本発明は、異種網を接続してＴＶ電話通信など音声データと映像データとを含むメディアデータの通信を実現する中継装置において、リアルタイムでメディアをモニタできるメディアモニタシステムおよびメディアモニタ方法を提供することを目的とする。
【課題を解決するための手段】
【０００７】
本発明によるメディアモニタシステムは、第１通信ネットワークと第２通信ネットワークとを接続して、音声データと映像データとを含むメディアデータの通信を実現する中継装置で用いられるメディアモニタシステムであって、第１通信ネットワークから第２通信ネットワークに向かうメディアデータおよび第２通信ネットワークから第１通信ネットワークに向かうメディアデータを受信可能なメディアモニタ装置と、モニタ端末とを備え、メディアモニタ装置は、モニタ端末からの指示信号に応じて、第１通信ネットワークから第２通信ネットワークに向かうメディアデータまたは第２通信ネットワークから第１通信ネットワークに向かうメディアデータと、呼接続制御時に確定したメディアデータ復号情報とをモニタ端末に送信するモニタ処理部を含み、モニタ端末が、指示信号をモニタ処理部に送信し、モニタ処理部から受信したメディアデータから音声データもしくは映像データ、または音声データと映像データとを取り出して、取り出したデータにもとづく音声もしくは映像、または音声および映像を出力するモニタ処理を行い、映像を出力するときに、モニタ処理部から受信したメディアデータ復号情報を用いて映像データを復号することを特徴とする。
【０００８】
モニタ端末は、リアルタイムでモニタ処理を実行することが好ましい。
【０００９】
メディアモニタ装置が、第１通信ネットワークに接続された端末装置と第２通信ネットワークに接続された端末装置とに、一定の周期また間欠的に、イントラフレームの送信要求を送信する呼処理部を含むように構成されていてもよい。
【００１０】
モニタ端末は、メディアモニタ装置に指示信号を送信した後、メディアモニタ装置のモニタ処理部からメディアデータ復号情報を受信し、モニタ処理部からメディアデータを受信したときにメディアデータ復号情報を元にモニタ処理を開始する。すなわち、通信途中にモニタ処理を開始しても、メディアデータ復号情報を元にメディアデータから音声データもしくは映像データ、または音声データと映像データを取り出して、音声および映像の復号を行うことができる。
【００１１】
モニタ処理部は、例えば、第１通信ネットワークと第２通信ネットワークとを介するＴＶ電話通信のメディアデータを受信する。
【００１２】
モニタ端末が、ＴＶ電話通信が行われているか否か問い合わせるためにモニタ処理部に通信状況確認指示信号を送信し、モニタ処理部は、通信状況確認指示信号を受信すると、ＴＶ電話通信が行われているチャネルを示す情報をモニタ端末に送信し、モニタ端末は、ＴＶ電話通信が行われているチャネルをモニタ処理の対象にすることを示す指示信号をモニタ処理部に送信するように構成されていてもよい。そのような構成によれば、任意のチャネルを対象にしてモニタ処理を実行できる。
【００１３】
本発明による他の態様のメディアモニタシステムは、メディアモニタ装置が、呼接続制御時にメディアデータ復号情報を確定し、第１通信ネットワークに接続された端末装置と第２通信ネットワークに接続された端末装置とに、一定の周期また間欠的に、イントラフレームの送信要求を送信する呼処理部と、メディアデータ復号情報を保持する情報記憶部と、モニタ端末からの指示信号に応じて、第１通信ネットワークから第２通信ネットワークに向かうメディアデータまたは第２通信ネットワークから第１通信ネットワークに向かうメディアデータと、情報記憶部に保持されているメディアデータ復号情報とをモニタ端末に送信するモニタ処理部とを含み、モニタ端末が、指示信号をモニタ処理部に送信し、モニタ処理部から受信したメディアデータから音声データもしくは映像データ、または音声データと映像データとを取り出して、取り出したデータにもとづく音声もしくは映像、または音声および映像を出力するモニタ処理を行い、映像を出力するときに、モニタ処理部から受信したデータ復号情報を用いて映像データを復号することを特徴とする。
【００１４】
本発明によるメディアモニタ方法は、第１通信ネットワークと第２通信ネットワークとを接続して、ＴＶ電話通信を実現する中継装置で用いられる中継装置で用いられるメディアモニタ方法であって、呼接続制御時にメディアデータ復号情報を確定し、第１通信ネットワークから第２通信ネットワークに向かうメディアデータまたは第２通信ネットワークから第１通信ネットワークに向かうメディアデータを取り込み、取り込んだメディアデータから音声データもしくは映像データ、または音声データと映像データとを取り出して、取り出したデータにもとづく音声もしくは映像、または音声および映像を出力するモニタ処理を行い、モニタ処理で映像を出力するときに、データ復号情報を用いて映像データを復号することを特徴とする。
【発明の効果】
【００１５】
本発明によれば、異種網を接続してＴＶ電話通信などの通信を実現する中継装置からモニタ端末にモニタする該当チャネルのメディアデータ復号情報とメディアデータを送信することにより、メディアデータから音声データと映像データを分離することができ、かつ、音声データと映像データとを復号することによりメディアをモニタすることができる。また、リアルタイムでモニタしたいチャネルの音声および映像を出力することができる。
【発明を実施するための最良の形態】
【００１６】
実施の形態１．
以下、本発明の実施の形態を図面を参照して説明する。図１は、本発明によるメディアモニタシステムが適用される通信システムの一例を示すシステム構成図である。図１に示すように、通信システムは、異種網を接続するメディアモニタ装置１と、メディアデータを復号して出力するモニタ端末２と、３Ｇ網３と、ＩＰ網４と、３Ｇ網３に接続される３Ｇ−３２４Ｍ端末５と、ＩＰ網４に接続されるＳＩＰ端末６とを含む。メディアモニタ装置１は、３Ｇ−３２４Ｍ端末５とＳＩＰ端末６とが行うＴＶ電話通信を実現するために３Ｇ網３とＩＰ網４とを接続する中継装置としての役割も果たす。
【００１７】
×
そして、メディアモニタ装置１は、呼処理信号の通信プロトコルを変換する際に、メディアの多重化情報と映像のＣｏｎｆｉｇ情報とを確定してモニタ端末２に転送する。なお、メディアの多重化テーブル情報と映像のＣｏｎｆｉｇ情報は、メディアデータを復号するために必要な情報（メディアデータ復号情報）である。モニタ端末２は、受信したメディアの多重化テーブル情報を用いてメディアデータを映像データと音声データとに分離する。そして、映像のＣｏｎｆｉｇ情報から映像データを復号して出力することができる。
【００１８】
３Ｇ網３とＩＰ網４は、使用される通信プロトコルが互いに異なる通信ネットワークである。３Ｇ網３とＩＰ網４との間でデータの送受信を行う際には、メディアモニタ装置１が通信プロトコルを変換し、メディアデータのフォーマット変換等を行う。
【００１９】
図２は、この実施の形態におけるメディアモニタ装置１の一例を示す構成図である。図２に示すように、メディアモニタ装置１は、メディア処理部１１と、呼処理部１２と、情報テーブル部１３と、３Ｇ網処理部１４と、ＩＰ網処理部１５と、モニタ処理部１６とを含む。
【００２０】
３Ｇ網処理部１４は、３Ｇ網３から受信したデータを終端する。具体的には、３Ｇ網処理部１４は、受信したデータからペイロードを抽出する処理等を行う。３Ｇ網処理部１４は、３Ｇ網３から受信したデータが呼処理信号の場合には、呼処理部１２にデータを渡す。受信したデータがメディアデータの場合には、３Ｇ網処理部１４はメディア処理部１１にデータを渡す。
【００２１】
３Ｇ−３２４Ｍ端末５とＳＩＰ端末６とは互いに異なるプロトコルの呼処理信号を使用しているので、呼処理部１２は、一方の端末から受信した呼処理信号を相手方の端末に送信するときに通信プロトコルを変換する。この実施の形態では、呼処理部１２は、３Ｇ網処理部１４から受信した呼処理信号をＳＩＰ端末６の呼処理信号であるＳＩＰプロトコルにもとづく信号に変換し、ＩＰ網処理部１５に出力する。
【００２２】
呼処理部１２は、３Ｇ網処理部１４から入力した呼処理信号の通信プロトコルを変換する際に、３Ｇ−３２４Ｍ端末５のメディアの多重化テーブル情報と映像のＣｏｎｆｉｇ情報とを呼処理信号から抽出し、抽出した多重化テーブル情報とＣｏｎｆｉｇ情報とを情報テーブル部１３に書き込むとともに、メディア処理部１１に通知する。具体的には、Ｈ．２４５にもとづくネゴシエーションで確定したメディアの多重化テーブル情報と映像のＣｏｎｆｉｇ情報とを、情報テーブル部１３に書き込むとともに、メディア処理部１１に通知する。
【００２３】
メディア処理部１１は、呼処理部１２から通知された多重化テーブル情報とＣｏｎｆｉｇ情報とにもとづいて、３Ｇ網処理部１４から入力したメディアデータのフォーマットをＩＰ網４のデータフォーマットに変換する。メディア処理部１１は、フォーマット変換後のメディアデータをＩＰ網処理部１５に出力する。
【００２４】
ＩＰ網処理部１５は、呼処理部１２から入力したＳＩＰプロトコル信号をＵＤＰ／ＩＰ化してＩＰ網４に送信する。また、ＩＰ網処理部１５は、メディア処理部１１から入力したメディアデータをＲＴＰ／ＵＤＰ／ＩＰ化してＩＰ網４に送信する。
【００２５】
また、ＩＰ網処理部１５は、ＩＰ網４から受信したデータを終端する。ＩＰ網４から受信したデータが呼処理信号の場合には、ＩＰ網処理部１５は、呼処理部１２にデータを出力する。また、音声／映像データを受信した場合にはメディア処理部１１にデータを出力する。
【００２６】
呼処理部１２は、ＩＰ網処理部１５から入力した呼処理信号を、３Ｇ−３２４Ｍ端末５の呼処理信号であるＨ．２４５プロトコルにもとづく信号に変換して３Ｇ網処理部１４に出力する。呼処理信号の通信プロトコルを変換する際に、呼処理部１２は、ＳＩＰ端末６の呼処理信号であるＳＩＰプロトコル信号からＳＩＰ端末６の映像のＣｏｎｆｉｇ情報を抽出する。そして、呼処理部１２は、Ｃｏｎｆｉｇ情報を、情報テーブル部１３に書き込むとともに、メディア処理部１１に通知する。
【００２７】
メディア処理部１１は、ＩＰ網処理部１５から入力した音声／映像データのフォーマットを、呼処理部１２から通知された映像のＣｏｎｆｉｇ情報にもとづいて３Ｇ網３のデータフォーマットに変換する。そして、メディア処理部１１は、フォーマット変換後の音声／映像データを３Ｇ網処理部１４に出力する。
【００２８】
３Ｇ網処理部１４は、呼処理部１２から受信したＨ．２４５プロトコル信号をＨ．２２３に多重化して３Ｇ網３に送信する。また、３Ｇ網処理部１４は、メディア処理部１１から受信した音声／映像データをＨ．２２３に多重化して３Ｇ網３に送信する。
【００２９】
呼処理部１２は、３Ｇ−３２４Ｍ端末５とＳＩＰ端末６との間のＴＶ電話通信の呼接続制御が完了すると、３Ｇ−３２４Ｍ端末５およびＳＩＰ端末６に対して、一定周期で、イントラフレームの送信を要求する信号を送信する。３Ｇ−３２４Ｍ端末５およびＳＩＰ端末６は、呼処理部１２からイントラフレームの送信を要求されると、イントラフレームを送信するように構成されている。「イントラフレーム」とは、時間順に並んだ複数枚の画像（以下、フレームという。）のうち、前後のフレームに独立した、同一フレーム内の情報だけを使用して圧縮したフレームである。なお、この実施の形態では、呼処理部１２は、一定周期でイントラフレームの送信を要求する信号を送信するが、イントラフレームの送信を要求する信号を送信する周期は、一定ではなく間欠的であってもよい。
【００３０】
モニタ端末２は、ＴＶ電話通信中の呼が存在するか否か確認するためにメディアモニタ装置１に通信状況確認指示信号を送信する。メディアモニタ装置１において、モニタ処理部１６は、通信状況確認指示信号を受信すると、情報テーブル部１３が保持している情報を確認し、ＴＶ電話通信中のチャネル番号をコピーして、モニタ端末２に送信する。
【００３１】
また、モニタするチャネル指定をモニタ端末２から受信した場合には、モニタ処理部１６は、情報テーブル部１３が保持している情報のうち、指定されたチャネルの多重化テーブル情報とＣｏｎｆｉｇ情報とをコピーしてモニタ端末２に送信する。その後、モニタ処理部１６は、３Ｇ網３から受信したメディアデータを３Ｇ網処理部１４からコピーして、またはＩＰ網４から受信したメディアデータをＩＰ網処理部１５からコピーしてモニタ端末２に転送する処理を開始する。すなわち、３Ｇ網３からＩＰ網４に向かうメディアデータまたはＩＰ網４から３Ｇ網３に向かうメディアデータを取り込んで、取り込んだメディアデータをモニタ端末２に転送する処理を開始する。
【００３２】
図３は、情報テーブル部１３に保持されている情報の一例を示す説明図である。図３に示すように、情報テーブル部１３は、多重化テーブル情報と通信端末毎のＣｏｎｆｉｇ情報を通信中のチャネル番号に対応して記憶している。情報テーブル部１３は、呼接続中は多重化テーブル情報やＣｏｎｆｉｇ情報などの情報を保持し続ける。なお、図３において、「ＬＣＮ：０…」は多重化テーブル情報の内容の一例であり、「０００００１Ｂ００８０…」はＣｏｎｆｉｇ情報の内容の一例である。
【００３３】
モニタ端末２は、モニタ処理部１６から転送された多重化テーブル情報にもとづいて、コピーした通信中のメディアデータを音声データと映像データとに分離する。そして、モニタ端末２は、音声データを復号して出力する。また、モニタ端末２は、分離した映像データをＣｏｎｆｉｇ情報にもとづいて復号して出力する。このように、モニタ端末２は、リアルタイムでメディアモニタ（モニタ処理部１６から受信したメディアデータから音声データもしくは映像データ、または音声データと映像データとを取り出して、取り出したデータにもとづく音声もしくは映像、または音声および映像を出力するモニタ処理）を実行する。
【００３４】
３Ｇ−３２４Ｍ端末５およびＳＩＰ端末６は、イントラフレームの送信を要求する信号をメディアモニタ装置１から受信すると、一定周期でイントラフレームを送信する。よって、モニタ端末２は、映像データを復号する際に、一定周期でイントラフレームを復号することになる。したがって、モニタ端末２は、鮮明な映像を一定周期ごとに出力できる。また、モニタ端末２がメディアモニタ装置１に指示信号を送信したときに既にＴＶ電話通信が開始されていた場合には、モニタ端末２は、イントラフレームを受信したときから、鮮明な映像を出力することができ、メディアのモニタを開始することができる。
【００３５】
次に、この実施の形態におけるメディアモニタ装置１およびモニタ端末２の動作を説明する。図４は、この実施の形態におけるメディアモニタ装置１およびモニタ端末２の動作を示すフローチャートである。モニタ端末２は、ＴＶ電話通信中の呼が存在するか否か問い合わせるためにモニタ処理部１６に通信状況確認指示信号を送信する（ステップＳ１）。モニタ処理部１６は、通信状況確認指示信号を受信すると、情報テーブル部１３が保持している情報を確認する。そして、ＴＶ電話通信中のチャネル番号をコピーして、モニタ端末２に送信する（ステップＳ２）。モニタ端末２は、ＴＶ電話通信中のチャネルが存在しない場合にはメディアモニタを終了する。
【００３６】
ＴＶ電話通信中のチャネルが存在すると、ＴＶ電話通信中のチャネルのなかからモニタしたいチャネル番号とモニタ対象（３Ｇ−３２４Ｍ端末５側かＳＩＰ端末６側）を選択する（ステップＳ３）。モニタ端末２は、選択されたモニタ対象を示す情報とチャネル番号を指定する情報とを指示信号としてモニタ処理部１６に送信する。モニタ対象の「３Ｇ−３２４Ｍ端末５側」とは、３Ｇ−３２４Ｍ端末５から受信するメディアデータを指し、「ＳＩＰ端末６側」とは、ＳＩＰ端末６から受信するメディアデータを指す。
【００３７】
モニタ処理部１６は、チャネル番号を指定する情報を受信すると、情報テーブル部１３からモニタするチャネル番号の多重化テーブル情報とＣｏｎｆｉｇ情報とをコピーしてモニタ端末２に送信する（ステップＳ４）。モニタ対象を示す情報が３Ｇ−３２４Ｍ端末５側を示している場合には、モニタ処理部１６は、３Ｇ網３から受信したメディアデータのうち、モニタするチャネル番号のメディアデータを受信中であるかどうか確認する。また、モニタ対象を示す情報がＳＩＰ端末６側を示している場合には、モニタ処理部１６は、ＩＰ網４から受信したメディアデータのうち、モニタするチャネル番号のメディアデータを受信中であるかどうか確認する（ステップＳ５）。なお、呼切断したときに呼処理部１２は情報テーブル部１３に保存されているモニタ対象のチャネルの情報を削除して、情報テーブル部１３は、モニタ処理部１６にモニタ対象のチャネルが呼切断されたことを通知すれば、メディアデータを受信しなくなったことを確認することもできる。
【００３８】
指定されたチャネルでメディアデータが受信されていない場合には、モニタ処理部１６は、メディアデータ未受信であることをモニタ端末２に通知する。モニタ端末２は、メディアデータ未受信であることが通知された場合には、メディアモニタを終了する。
【００３９】
指定されたチャネルでメディアデータを受信中である場合には、モニタ処理部１６は、メディアデータをコピーしてモニタ端末２に送信する（ステップＳ６）。モニタ対象が３Ｇ−３２４Ｍ端末５側の場合には、モニタ処理部１６は、３Ｇ網処理部１４からメディアデータをコピーしてモニタ端末２に転送する。また、モニタ対象がＳＩＰ端末６側の場合には、モニタ処理部１６は、ＩＰ網処理部１５からメディアデータをコピーしてモニタ端末２に転送する。
【００４０】
モニタ対象が３Ｇ−３２４Ｍ端末５側の場合、モニタ端末２は、メディアデータを受信すると、すでに入手している多重化テーブル情報にもとづいてメディアデータを音声データと映像データとに分離する（ステップＳ７）。そして、モニタ端末２は、音声データを復号する。映像データに関しては、すでに入手しているＣｏｎｆｉｇ情報にもとづいて復号する（ステップＳ８）。モニタ端末２は、復号した音声データにもとづく音声と映像データにもとづく映像とを出力する（ステップＳ９）。ユーザは、出力された音声および映像から、メディアに問題がないかどうかモニタできる。なお、情報テーブル部１３にはＩＰ網４についてのメディアの多重化情報は保持されていないので、ＳＩＰ端末６側がモニタ対象である場合には、ステップＳ７の処理は不要である。
【００４１】
モニタ処理部１６は、指定されたチャネルでメディアデータを受信しなくなるまで、３Ｇ網処理部１４またはＩＰ網処理部１５からメディアデータをコピーしてモニタ端末２に送信し続けることにより、モニタ端末２は、リアルタイムでメディアモニタを継続できる。指定されたチャネルでメディアデータが受信されなくなると、モニタ処理部１６は、モニタ端末２にメディア未受信であることを通知する。モニタ端末２は、メディア未受信であることが通知されると、メディアモニタを終了する。
【００４２】
この実施の形態において、ＴＶ電話通信しているメディアデータをモニタすることによって、メディア品質劣化などが発生した場合、メディア劣化の被疑箇所の切り分けを行うことができる。例えば、モニタ対象が３Ｇ−３２４Ｍ端末５側であるときにモニタしている映像データが乱れていると、３Ｇ−３２４Ｍ端末５から３Ｇ網処理部１４のどこかに映像データが乱れる原因がある可能性があると被疑箇所の切り分けを行うことができる。また、モニタ対象がＳＩＰ端末６側であるときにモニタしている映像データが乱れていると、ＳＩＰ端末６からＩＰ網処理部１５のどこかに映像データが乱れる原因がある可能性があると被疑箇所の切り分けを行うことができる。
【００４３】
なお、この実施の形態では、音声と映像の双方をモニタするようにしたが、いずれか一方のみをモニタするようにしても、メディア劣化の被疑箇所の切り分けを行うことができる。
【００４４】
実施の形態２．
次に、本発明の他の実施の形態を図面を参照して説明する。図５は、メディアモニタシステムが適用される通信システムの他の例を示すシステム構成図である。図５に示す例では、図１に示された構成に対して、３Ｇ網３がＩＳＤＮ網７およびＰＳＴＮ網８に置き換わり、３Ｇ−３２４Ｍ端末５がＩＳＤＮ端末９に置き換わっている。
【００４５】
図５において、ＩＳＤＮ端末９はＴＶ電話通信が可能な端末である。メディアモニタ装置１は、ＰＳＴＮ網８とＩＰ網４とを接続して、ＩＳＤＮ網７経由で、ＩＳＤＮ端末９とＳＩＰ端末６とのＴＶ電話通信を可能にする。
【００４６】
図６は、メディアモニタ装置の第２の実施の形態を示す構成図である。第２の実施の形態は、図２における３Ｇ網処理部１４がＰＳＴＮ網処理部１７に置き換わった点で、第１の実施の形態と異なる。
【００４７】
ＰＳＴＮ網処理部１７は、ＰＳＴＮ網８から受信したデータを終端する。具体的には、ＰＳＴＮ網処理部１７は、受信したデータからペイロードを抽出する処理等を行う。ＰＳＴＮ網処理部１７は、ＰＳＴＮ網８からデータを受信すると、受信したデータが呼処理信号の場合には呼処理部１２にデータを渡す。受信したデータがメディアデータの場合には、メディア処理部１１にデータを渡す。
【００４８】
呼処理部１２は、ＰＳＴＮ網処理部１７から入力した呼処理信号をＳＩＰ端末６の呼処理信号であるＳＩＰプロトコル信号に変換してＩＰ網処理部１５に出力する。呼処理部１２は、呼処理信号の通信プロトコルを変換する際に、ＩＳＤＮ端末９のメディアの多重化テーブル情報と映像のＣｏｎｆｉｇ情報とを呼処理信号から抽出する。そして、呼処理部１２は、抽出した多重化テーブル情報とＣｏｎｆｉｇ情報とを情報テーブル部１３に書き込むとともに、メディア処理部１１に通知する。具体的には、Ｈ．２４５にもとづくネゴシエーションで確定したメディアの多重化テーブル情報と映像のＣｏｎｆｉｇ情報とを、情報テーブル部１３に書き込むとともに、メディア処理部１１に通知する。
【００４９】
メディア処理部１１は、呼処理部１２から通知された多重化テーブル情報とＣｏｎｆｉｇ情報とにもとづいて、ＰＳＴＮ網処理部１７から入力したメディアデータのフォーマットをＩＰ網４のデータフォーマットに変換する。メディア処理部１１は、フォーマット変換後のメディアデータをＩＰ網処理部１５に出力する。
【００５０】
ＩＰ網処理部１５は、呼処理部１２から入力したＳＩＰプロトコル信号をＵＤＰ／ＩＰ化してＩＰ網４に送信する。また、ＩＰ網処理部１５は、メディア処理部１１から入力したメディアデータをＲＴＰ／ＵＤＰ／ＩＰ化してＩＰ網４に送信する。
【００５１】
また、ＩＰ網処理部１５は、ＩＰ網４から受信したデータを終端する。ＩＰ網４から受信したデータが呼処理信号の場合には、ＩＰ網処理部１５は、呼処理部１２にデータを出力する。音声／映像データの場合にはメディア処理部１１にデータを出力する。
【００５２】
呼処理部１２は、ＩＰ網処理部１５から入力した呼処理信号を、ＩＳＤＮ端末９の呼信号であるＨ．２４５プロトコルにもとづく信号に変換してＰＳＴＮ網処理部１７に出力する。呼処理信号の通信プロトコルを変換する際に、呼処理部１２は、ＳＩＰ端末６の呼処理信号であるＳＩＰプロトコル信号からＳＩＰ端末６の映像のＣｏｎｆｉｇ情報を抽出する。そして、呼処理部１２は、Ｃｏｎｆｉｇ情報を、情報テーブル部１３に書き込むとともに、メディア処理部１１に通知する。
【００５３】
メディア処理部１１は、ＩＰ網処理部１５から入力した音声／映像データのフォーマットを、呼処理部１２から通知された映像のＣｏｎｆｉｇ情報にもとづいてＰＳＴＮ網８のデータフォーマットに変換する。そして、メディア処理部１１は、フォーマット変換後の音声／映像データをＰＳＴＮ網処理部１７に出力する。
【００５４】
ＰＳＴＮ網処理部１７は、呼処理部１２から入力したＨ．２４５プロトコル信号をＨ．２２３に多重化してＰＳＴＮ網８に送信する。また、ＰＳＴＮ網処理部１７は、メディア処理部１１から入力した音声／映像データをＨ．２２３に多重化してＰＳＴＮ網８に送信する。
【００５５】
呼処理部１２は、ＩＳＤＮ端末９とＳＩＰ端末６との間のＴＶ電話通信の呼接続制御が完了すると、ＩＳＤＮ端末９およびＳＩＰ端末６に対して、一定周期で、イントラフレームの送信を要求する信号を送信する。呼処理部１２がイントラフレームの送信を要求すると、ＩＳＤＮ端末９およびＳＩＰ端末６は、イントラフレームを呼処理部１２に送信する。
【００５６】
通信状況を確認する目的で、モニタ端末２は、通信状況確認指示信号をメディアモニタ装置１に送信する。メディアモニタ装置１において、モニタ処理部１６は、情報テーブル部１３が保持している情報（図３参照）のうちＴＶ電話通信中のチャネル番号をコピーしてモニタ端末２に送信する。
【００５７】
また、モニタするチャネル指定をモニタ端末２から受信した場合には、モニタ処理部１６は、情報テーブル部１３が保持している情報のうち、指定されたチャネルの多重化テーブル情報とＣｏｎｆｉｇ情報とをコピーしてモニタ端末２に送信する。その後、モニタ処理部１６は、ＰＳＴＮ網８から受信したメディアデータをＰＳＴＮ網処理部１７からコピーして、またはＩＰ網４から受信したメディアデータをＩＰ網処理部１５からコピーしてモニタ端末２に転送する処理を開始する。
【００５８】
なお、モニタ端末２の構成および動作は、第１の実施の形態におけるモニタ端末２の構成および動作と同じである。
【００５９】
次に、第２の実施の形態の動作を図面を参照して説明する。なお、この実施の形態におけるメディアモニタ装置１およびモニタ端末２の動作は第１の実施の形態におけるメディアモニタ装置１およびモニタ端末２の動作と同じである。したがって、第１の実施の形態の場合と同様に図４を参照して説明する。
【００６０】
モニタ端末２は、ＴＶ電話通信中の呼が存在するか否か確認するためにモニタ処理部１６に通信状況確認指示信号を送信する（ステップＳ１）。モニタ処理部１６は、通信状況確認指示信号を受信すると、情報テーブル部１３（図３参照）が保持している情報を確認する。そして、ＴＶ電話通信中のチャネル番号をコピーして、モニタ端末２に送信する（ステップＳ２）。モニタ端末２は、ＴＶ電話通信中のチャネルが存在しない場合にはメディアモニタを終了する。
【００６１】
ＴＶ電話通信中のチャネルが存在すると、ＴＶ電話通信中のチャネルのなかからモニタしたいチャネル番号とモニタ対象（ＳＩＰ端末６側かＩＳＤＮ端末９側）を選択する（ステップＳ３）。モニタ端末２は、選択されたモニタ対象を示す情報とチャネル番号を指定する情報とをモニタ処理部１６に送信する。モニタ対象の「ＩＳＤＮ端末９側」とは、ＩＳＤＮ端末９から受信するメディアデータを指し、「ＳＩＰ端末６側」とは、ＳＩＰ端末６から受信するメディアデータを指す。
【００６２】
モニタ処理部１６は、チャネル番号を指定する情報を受信すると、情報テーブル部１３からモニタするチャネル番号の多重化テーブル情報とＣｏｎｆｉｇ情報とをコピーしてモニタ端末２に送信する（ステップＳ４）。モニタ対象を示す情報がＩＳＤＮ端末９側を示している場合には、モニタ処理部１６は、ＰＳＴＮ網８から受信したメディアデータのうち、モニタするチャネル番号のメディアデータを受信中であるかどうか確認する。また、モニタ対象を示す情報がＳＩＰ端末６側を示している場合には、モニタ処理部１６は、ＩＰ網４から受信したメディアデータのうち、モニタするチャネル番号のメディアデータを受信中であるかどうか確認する（ステップＳ５）。
【００６３】
指定されたチャネルでメディアデータが受信されていない場合には、モニタ処理部１６は、メディアデータ未受信であることをモニタ端末２に通知する。モニタ端末２は、メディアデータ未受信であることが通知された場合には、メディアモニタを終了する。
【００６４】
指定されたチャネルでメディアデータを受信中である場合には、モニタ処理部１６は、メディアデータをコピーしてモニタ端末２に送信する（ステップＳ６）。モニタ対象がＩＳＤＮ端末９側の場合には、モニタ処理部１６は、ＰＳＴＮ網処理部１７からメディアデータをコピーしてモニタ端末２に転送する。また、モニタ対象がＳＩＰ端末６側の場合には、モニタ処理部１６は、ＩＰ網処理部１５からメディアデータをコピーしてモニタ端末２に転送する。
【００６５】
モニタ端末２は、メディアデータを受信すると、すでに入手している多重化テーブル情報にもとづいてメディアデータを音声データと映像データとに分離する（ステップＳ７）。そして、モニタ端末２は、音声データを復号する。映像データに関しては、すでに入手しているＣｏｎｆｉｇ情報にもとづいて復号する（ステップＳ８）。モニタ端末２は、復号した音声と映像とを出力する（ステップＳ９）。出力された音声および映像から、メディアに問題がないかどうかモニタできる。
【００６６】
モニタ処理部１６は、指定されたチャネルでメディアデータを受信しなくなるまで、ＰＳＴＮ網処理部１７またはＩＰ網処理部１５からメディアデータをコピーしてモニタ端末２に送信し続けることにより、リアルタイムでメディアモニタを継続できる。指定されたチャネルでメディアデータが受信されなくなると、モニタ処理部１６は、モニタ端末２にメディア未受信であることを通知する。モニタ端末２は、メディア未受信であることが通知されると、メディアモニタを終了する。
【００６７】
この実施の形態において、ＴＶ電話通信しているメディアデータをモニタすることによって、メディア品質劣化などが発生した場合、メディア劣化の被疑箇所の切り分けを行うことができる。なお、この実施の形態では、音声と映像の双方をモニタするようにしたが、いずれか一方のみをモニタするようにしても、メディア劣化の被疑箇所の切り分けを行うことができる。
【００６８】
また、第１の実施の形態では異種網として３Ｇ網３とＩＰ網４とが例示され、第２の実施の形態では異種網としてＰＳＴＮ網とＩＰ網とが例示されたが、異種網はそれらに限定されない。すなわち、他の異種網を用いてＴＶ電話通信などの通信を可能にするメディアモニタシステムにも本発明を適用できる。例えば、ＩＳＤＮ網とＩＰ網との接続、ＩＳＤＮ網とインターネットサービスプロバイダ（ＩＳＰ）網との接続、または３Ｇ網とＩＳＰ網とを接続してＴＶ電話通信を可能にするメディアモニタシステムにも本発明を適用できる。
【産業上の利用可能性】
【００６９】
本発明を、異種網を接続してＴＶ電話通信を実現する中継装置において、好適に適用可能である。
【図面の簡単な説明】
【００７０】
【図１】メディアモニタシステムが適用される通信システムの一例を示すシステム構成図である。
【図２】メディアモニタ装置の第１の実施の形態を示すシステム構成図である。
【図３】情報テーブル部に保持されている情報の一例を示す説明図である。
【図４】メディアモニタ装置およびモニタ端末の動作を示すフローチャートである。
【図５】メディアモニタシステムが適用される通信システムの他の例を示すシステム構成図である。
【図６】メディアモニタ装置の第２の実施の形態を示すシステム構成図である。
【符号の説明】
【００７１】
１  メディアモニタ装置
２  モニタ端末
３  ３Ｇ網
４  ＩＰ網
５  ３Ｇ−３２４Ｍ端末
６  ＳＩＰ端末
７  ＩＳＤＮ網
８  ＰＳＴＮ網
９  ＩＳＤＮ端末
１１  メディア処理部
１２  呼処理部
１３  情報テーブル部
１４  ３Ｇ網処理部
１５  ＩＰ網処理部
１６  モニタ処理部
１７  ＰＳＴＮ網処理部
【図１】
2007306317.tif 000003
【図２】
2007306317.tif 000004
【図３】
2007306317.tif 000005
【図４】
2007306317.tif 000006
【図５】
2007306317.tif 000007
【図６】
2007306317.tif 000008